【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
液体を吐出するための複数の吐出口と、
前記複数の吐出口それぞれについて設けられ、前記吐出口から液体を吐出するための圧力を発生する圧力発生素子と、
前記圧力発生素子が設けられた基板を貫通して設けられた第１の開口および第２の開口と、
１つの前記吐出口に対応して設けられ、前記吐出口と前記第１の開口とに連通した第１の流路と、
１つの前記吐出口に対応して設けられ、前記吐出口と前記第２の開口とに連通した第２の流路と、を備え、
前記第１の流路と前記第２の流路とは、前記吐出口を挟んで設けられ、
前記第１の流路および前記第２の流路とこれらの流路に対応する前記吐出口が、前記第１の開口と前記第２の開口との間に配置された記録素子基板において、
前記複数の吐出口は、隣接する前記第１の流路にそれぞれ連通する第１の吐出口と第２の吐出口とを含み、前記第１の吐出口と前記第２の吐出口とは、相互に、前記第１の流路が隣接する方向と交差する方向にずれて配置されたことを特徴とする記録素子基板。
【請求項２】
前記第１の吐出口と前記第２の吐出口とは、前記隣接する方向に所定の間隔でずれて設けられていることを特徴とする請求項１に記載の記録素子基板。
【請求項３】
前記第１の開口および前記第２の開口は、前記隣接する方向に列を成した複数の開口であることを特徴とする請求項１または請求項２に記載の記録素子基板。
【請求項４】
前記第１の吐出口に連通する前記第１の流路と前記第２の吐出口に連通する前記第１の流路とは幅が異なり、前記第１の吐出口に連通する前記第２の流路と前記第２の吐出口に連通する前記第２の流路とは幅が異なることを特徴とする請求項１ないし請求項３のいずれか１項に記載の記録素子基板。
【請求項５】
前記第１の吐出口に対応する前記第１の流路と前記第２の流路とは、異なる幅を備えていることを特徴とする請求項１ないし請求項４のいずれか１項に記載の記録素子基板。
【請求項６】
複数の前記第１の吐出口は、前記隣接する方向に列を成して設けられた第１の吐出口列を形成しており、複数の前記第２の吐出口は、前記隣接する方向に列を成して設けられた第２の吐出口列を形成しており、
前記第１の開口に近い位置に設けられた前記第１の吐出口列に対応する前記第１の流路と、
前記第１の開口から遠い位置に設けられた前記第２の吐出口列に対応する前記第２の流路と、は、略等しい幅を備えていることを特徴とする請求項１ないし請求項５のいずれか１項に記載の記録素子基板。
【請求項７】
複数の前記第１の吐出口は、前記隣接する方向に列を成して設けられた第１の吐出口列を形成しており、複数の前記第２の吐出口は、前記隣接する方向に列を成して設けられた第２の吐出口列を形成しており、
前記第１の開口に近い位置に設けられた前記第１の吐出口列に対応する前記第２の流路と、
前記第１の開口から遠い位置に設けられた前記第２の吐出口列に対応する前記第１の流路と、は、略等しい幅を備えていることを特徴とする請求項１ないし請求項６のいずれか１項に記載の記録素子基板。
【請求項８】
前記第１の吐出口に対応する前記第１の流路と前記第２の流路とのいずれか一方は、複数の幅を備えた流路であることを特徴とする請求項１ないし請求項７のいずれか１項に記載の記録素子基板。
【請求項９】
前記第１の吐出口を挟んで隣接する前記第１の流路の部分と前記第２の流路の部分とは、略等しい幅を備えていることを特徴とする請求項８に記載の記録素子基板。
【請求項１０】
円柱状のフィルタを備えており、該フィルタは、第１のフィルタと、該第１のフィルタよりも断面積の小さな第２のフィルタであることを特徴とする請求項１ないし請求項７のいずれか１項に記載の記録素子基板。
【請求項１１】
前記フィルタは、前記第１の流路および第２の流路に対応して設けられており、
前記第１のフィルタが対応する前記第１の流路の幅は、前記第２のフィルタが対応する前記第１の流路の幅よりも広く、
前記第１のフィルタが対応する前記第２の流路の幅は、前記第２のフィルタが対応する前記第２の流路の幅よりも広いことを特徴とする請求項１０に記載の記録素子基板。
【請求項１２】
前記第１の吐出口と前記第２の吐出口とは、前記隣接する方向において、同じ位置に設けられていることを特徴とする請求項１に記載の記録素子基板。
【請求項１３】
前記第１の吐出口と前記第２の吐出口とが前記隣接する方向において交互に配列されていることを特徴とする請求項１ないし請求項１２のいずれか１項に記載の記録素子基板。
【請求項１４】
前記第２の吐出口に連通する前記第１の流路は、前記隣接する方向において前記第１の吐出口に挟まれている部分を備えており、前記第２の吐出口に連通する前記第１の流路の当該部分の幅は、前記第２の吐出口に連通する前記第２の流路の幅よりも狭いことを特徴とする請求項１３に記載の記録素子基板。
【請求項１５】
請求項１ないし請求項１３のいずれか１項に記載の記録素子基板を備えていることを特徴とする液体吐出ヘッド。
【請求項１６】
請求項１５に記載の液体吐出ヘッドを用いることを特徴とする液体吐出装置。
【請求項１７】
第１の方向に配列される、液体を吐出するための第１の吐出口及び第２の吐出口と、
前記第１の方向と交差する第２の方向に延在し、前記第１の吐出口に連通する第１の流路及び第２の流路と、
前記第２の方向に延在し、前記第２の吐出口に連通する第３の流路及び第４の流路と、を備える液体吐出ヘッドであって、
前記第１の吐出口と前記第２の吐出口は、前記第２の方向にずれて配されており、
前記第１の流路と前記第３の流路とは並置され、かつ前記第２の流路と前記第４の流路とは並置されており、
前記第１の流路の幅は前記第３の流路の幅より狭く、かつ前記第２の流路の幅は前記第４の流路の幅より広いことを特徴とする液体吐出ヘッド。
【請求項１８】
前記第１の吐出口に対向する位置に第１の圧力発生素子が設けられており、前記第２の吐出口に対向する位置に第２の圧力発生素子が設けられていることを特徴とする請求項１７に記載の液体吐出ヘッド。
【請求項１９】
前記第１の圧力発生素子または前記第２の圧力発生素子が内部に設けられた圧力室を備え、
前記圧力室の内部の液体は、当該圧力室の内部と当該圧力室の外部との間で循環される、ことを特徴とする請求項１８に記載の液体吐出ヘッド。
【請求項２０】
前記第１の流路の長さは前記第２の流路の長さより長く、前記第３の流路の長さは前記第４の流路の長さより短いことを特徴とする請求項１７ないし請求項１９のいずれか１項に記載の液体吐出ヘッド。
【請求項２１】
前記第１の吐出口と前記第２の吐出口とが交互に配列されて形成された吐出口列を備えることを特徴とする請求項１７ないし請求項２０のいずれか１項に記載の液体吐出ヘッド。
【手続補正２】
【補正対象書類名】明細書
【補正対象項目名】０００６
【補正方法】変更
【補正の内容】
【０００６】
そのため本発明の記録素子基板は、液体を吐出するための複数の吐出口と、前記複数の吐出口それぞれについて設けられ、前記吐出口から液体を吐出するための圧力を発生する圧力発生素子と、前記圧力発生素子が設けられた基板を貫通して設けられた第１の開口および第２の開口と、１つの前記吐出口に対応して設けられ、前記吐出口と前記第１の開口とに連通した第１の流路と、１つの前記吐出口に対応して設けられ、前記吐出口と前記第２の開口とに連通した第２の流路と、を備え、前記第１の流路と前記第２の流路とは、前記吐出口を挟んで設けられ、前記第１の流路および前記第２の流路とこれらの流路に対応する前記吐出口が、前記第１の開口と前記第２の開口との間に配置された記録素子基板において、前記複数の吐出口は、隣接する前記第１の流路にそれぞれ連通する第１の吐出口と第２の吐出口とを含み、前記第１の吐出口と前記第２の吐出口とは、相互に、前記第１の流路が隣接する方向と交差する方向にずれて配置されたことを特徴とする。